(57)【要約】水と混合し得る有機溶媒、水、および染料を組み合わせ、水と混合し得る有機溶媒、水および染料を一緒に配合することにより染料をベースにした加熱式インキジェット・プリンター用のインキが調合される。このインキは多様な種類の織物媒体の上に印刷された画像を形成させる能力をもち、被覆された絹および被覆された綿の両方の基質の上に使用して許容できる結果を達成することができる。このインキジェット用インキを製造する方法および記録媒体にこのインキを塗布する方法も含まれている。【特許請求の範囲】
【請求項１】
水、水と混合し得る有機溶媒および染料を含んで成ることを特徴とする染料をベースにしたインキジェット用インキ。
【請求項２】
該染料は染料および染料に対する液体担体を含んで成る染料溶液の一部であることを特徴とする請求項１記載のインキ。
【請求項３】
該液体担体が水であることを特徴とする請求項２記載のインキ。
【請求項４】
染料は公称の粒径が約０．１μ以下であることを特徴とする請求項１記載のインキ。
【請求項５】
該染料は塩を含んでいないことを特徴とする請求項１記載のインキ。
【請求項６】
水と混合し得る有機溶媒はエーテル、オキシエチレンまたはオキシプロピレンの付加二量体、三量体または重合体、アルキレン基の炭素数が２〜６のアルキレングリコール、チオジグリコール、グリセリン、多価アルコールの低級アルキルエーテル、多価アルコールの低級ジアルキルエーテル、スルフォラン、１，３−ジメチル−２−イミダゾリジノンおよびこれらの組合わせから成る群から選ばれることを特徴とする請求項１記載のインキ。
【請求項７】
水と混合し得る有機溶媒はオキシエチレンまたはオキシプロピレンの付加二量体、三量体または重合体、多価アルコールの低級アルキルエーテル、およびこれらの組み合わせから成る群から選ばれる高沸点の水と混合し得る有機溶媒を含むことを特徴とする請求項１記載のインキ。
【請求項８】
該水と混合し得る有機溶媒はジプロピレングリコールであることを特徴とする請求項６記載のインキ。
【請求項９】
該高沸点の水と混合し得る有機溶媒はジプロピレングリコールであることを特徴とする請求項７記載のインキ。
【請求項１０】
インキ中の水と混合し得る有機溶媒の濃度はインキの全重量に関し約２〜約３０重量％の範囲であることを特徴とする請求項１記載のインキ。
【請求項１１】
インキ中の水と混合し得る有機溶媒の濃度はインキの全重量に関し約５〜約２０重量％の範囲であることを特徴とする請求項１０記載のインキ。
【請求項１２】
インキ中の水と混合し得る有機溶媒の濃度はインキの全重量に関し約１０〜約１５重量％の範囲であることを特徴とする請求項１１記載のインキ。
【請求項１３】
インキの中の水の濃度はインキの全重量に関し約５〜約９５重量％の範囲にあることを特徴とする請求項１記載のインキ。
【請求項１４】
インキの中の水の濃度はインキの全重量に関し約３５〜約９０重量％の範囲であることを特徴とする請求項１１記載のインキ。
【請求項１５】
インキの中の水の濃度はインキの全重量に関し約７０〜約９０重量％の範囲であることを特徴とする請求項１２記載のインキ。
【請求項１６】
インキ中の染料の濃度はインキの全重量に関し約０．１〜約５５重量％の範囲であることを特徴とする請求項１記載のインキ。
【請求項１７】
該インキは表面活性剤を含んでいないことを特徴とする請求項１記載のインキ。
【請求項１８】
さらに表面活性剤を含み、インキ中の該表面活性剤の濃度はインキの全重量に関し約０．１〜約１．０重量％であることを特徴とする請求項１記載のインキ。
【請求項１９】
さらに殺生物剤を含み、インキ中の該殺虫剤の濃度はインキの全重量に関し約０．０５〜約０．２重量％の範囲にあることを特徴とする請求項１記載のインキ。
【請求項２０】
該インキは温度約２５℃において約１．０〜約４．０センチポアズの範囲の粘度を有していることを特徴とする請求項１記載のインキ。
【請求項２１】
インキは約２５℃のインキ温度において約１．０〜約３．０センチポアズの範囲の粘度を有していることを特徴とする請求項２０記載のインキ。
【請求項２２】
インキは約２５℃のインキ温度において約１．５〜約２．５センチポアズの範囲の粘度を有していることを特徴とする請求項２１記載のインキ。
【請求項２３】
インキは約２５℃のインキ温度において約３０〜約７４ダインの範囲の表面張力を有していることを特徴とする請求項１記載のインキ。
【請求項２４】
インキは約２５℃のインキ温度において約４０〜約６０ダインの範囲の表面張力を有していることを特徴とする請求項２３記載のインキ。
【請求項２５】
インキは約２５℃のインキ温度において約５０〜約５５ダインの範囲の表面張力を有していることを特徴とする請求項２４記載のインキ。
【請求項２６】
インキの液体伝導度は約１０ミリモー以下であることを特徴とする請求項１記載のインキ。
【請求項２７】
インキの液体伝導度は約５ミリモー以下であることを特徴とする請求項２６記載のインキ。
【請求項２８】
インキは約６．５〜約８．５の範囲のｐＨを有していることを特徴とする請求項１記載のインキ。
【請求項２９】
インキは最高約３００℃までの温度において熱的に安定であることを特徴とする請求項１記載のインキ。
【請求項３０】
インキの乾燥時間は約１分より短く、インキは後処理を行うことなく乾燥することを特徴とする請求項１記載のインキ。
【請求項３１】
インキの乾燥を促進するためにインキに高温の空気が当てられることを特徴とする請求項１記載のインキ。
【請求項３２】
水、水と混合し得る有機溶媒、染料および随時使用される任意の成分を混合容器の中で一緒にし；
発泡を促進しない低剪断混合装置を用いて該成分を配合し；
インキを真空に引いて該インキから空気の泡を除去し；
公称の細孔の大きさが０．４５μの濾過媒体を通してインキを濾過することにより該インキを処理する工程を含んで成ることを特徴とする染料をベースにしたインキジェット用インキの製造法。
【請求項３３】
染料をベースにしたインキジェット用のインキを記録媒体に塗布する方法において、
（ａ）水、水と混合し得る有機溶媒、染料および随時使用される任意の成分を含んで成る成分を混合容器の中で一緒にして染料をベースにしたインキジェット用インキを調合し、
発泡を促進しない低剪断混合装置を用いて該成分を配合し；
インキを真空に引いて該インキから空気の泡を除去し；
公称の細孔の大きさが０．４５μの濾過媒体を通してインキを濾過することにより該インキを処理し；
（ｂ）該記録媒体の上に一連のインキ・ドットとして該染料をベースにしたインキジェット用のインキを該インキ・ドットの第１の層として印刷し；
（ｃ）該印刷された染料をベースにしたインキ・ドットに水蒸気または水蒸気および空気を当てて該印刷された染料をベースにしたインキ・ドットを該記録媒体に固定し；
（ｄ）該印刷された記録媒体を高温の水および冷水の中で濯いで過剰の染料を除去する工程を含んで成ることを特徴とする方法。
【請求項３４】
該染料をベースにしたインキジェット用のインキの印刷はインキジェット・プリンターまたはオンヘッド・カメラシステムを用いて行われることを特徴とする請求項３３記載の方法。
【請求項３５】
該インキジェット・プリンターは加熱式インキジェット・プリンター、ピエゾ式インキジェット・プリンターおよびプランジャー式インキジェット・プリンターから成る群から選択されることを特徴とする請求項３４記載の方法。
【請求項３６】
記録媒体は被覆された布地、被覆された織物および被覆された繊維布から成る群から選択されることを特徴とする請求項３３記載の方法。
【請求項３７】
該被覆は記録媒体の一つまたはそれ以上の機能特性を強化していることを特徴とする請求項３６記載の方法。
【請求項３８】
該被覆は該染料をベースにしたインキジェット用のインキが記録媒体に吸収されるのを支援するか、或いは該染料をベースにしたインキジェット用のインキが記録媒体に接着するのを支援することを特徴とする請求項３６記載の方法。
【請求項３９】
該記録媒体は、該染料をベースにしたインキジェット用のインキで印刷されない記録媒体の側に、一時的なまたは永久的な裏地材料を含んでいることを特徴とする請求項３３記載の方法。
【請求項４０】
該染料をベースにしたインキジェット用のインキを該記録媒体に印刷した後に該一時的な裏地材料を取り除くことを特徴とする請求項３９記載の方法。
【請求項４１】
該記録媒体は動物に由来する、植物に由来する、および両者の組み合わせである織られたまたは編まれた紡ぎ糸、撚り糸または繊維であることを特徴とする請求項３３記載の方法。
【請求項４２】
該インキ・ドットはギザギザになった縁を実質的に有していない円形のドットであることを特徴とする請求項３３記載の方法。
【請求項４３】
該染料をベースにしたインキジェット用のインキは予め調製された異なった色の染料をベースにしたインキジェット用のインキのセットをベースにしたインキ・セットの一つであることを特徴とする請求項３３記載の方法。
【請求項４４】
該異なった色は原色のインキを含んで成っていることを特徴とする請求項４３記載の方法。
【請求項４５】
該原色のインキはシアン、マゼンタ、黄色および黒から成る群から選択されることを特徴とする請求項４４記載の方法。
【請求項４６】
該インキ・セットは該原色のインキを異なった割合で混合することにより調製されたインキを含んでなることを特徴とする請求項４４記載の方法。
【請求項４７】
該インキ・セットの該インキは該染料をベースにしたインキジェット用のインキの中の染料の濃度を変化させることにより調合されることを特徴とする請求項４３記載の方法。
【請求項４８】
該染料をベースにしたインキジェット用のインキの中の染料の濃度を変化させるにつれて、水の濃度を同じ重量パーセントだけ染料の濃度を変化させたのと反対の方向に変化させ、他方水と混合し得る溶媒の濃度は同じかほぼ同じに保つことを特徴とする請求項４７記載の方法。
【請求項４９】
該インキ・セットの染料をベースにしたインキジェット用のインキの該印刷されたドットは予め定められた方法で記録媒体の上に印刷されることを特徴とする請求項４３記載の方法。
【請求項５０】
該ドットはインキ・セットの各インキに対しほぼ同じ直径を有していることを特徴とする請求項４９記載の方法。
【請求項５１】
インキ・ドットの一つまたはそれ以上の第２の層がインキ・ドットの第１の層の上に印刷されていることを特徴とする請求項４９記載の方法。
【請求項５２】
インキ・ドットの該一つまたはそれ以上の第２の層は、インキ・ドットの第１の層と同じ色をしているか、インキ・ドットの第１の層と異なった色をしているか、或いはこれらの組み合わせであることを特徴とする請求項５１記載の方法。
【請求項５３】
黒色の染料をベースにしたインキ・ドット以外の染料をベースにしたインキ・ドットは任意の順序で互いに重なり合い、該順序により視覚的に観察される色が変わることはないことを特徴とする請求項４３記載の方法。
【請求項５４】
該インキ・セットは異なった色のインキおよび同じ染料の異なった濃度のインキの組み合わせを含んでいることを特徴とする請求項４７記載の方法。
【請求項５５】
インキ・セットのそれぞれの異なったインキの印刷されたドットの直径がほぼ同じになるように、インキ・セットのそれぞれの異なったインキの表面張力および粘度をバランスさせることを特徴とする請求項５４記載の方法。
【請求項５６】
インキ・ドットの直径は約４〜約５ミルであることを特徴とする請求項５５記載の方法。
【請求項５７】
水と混合し得る有機溶媒はエーテル、オキシエチレンまたはオキシプロピレンの付加二量体、三量体または重合体、アルキレン基の炭素数が２〜６のアルキレングリコール、チオジグリコール、グリセリン、多価アルコールの低級アルキルエーテル、多価アルコールの低級ジアルキルエーテル、スルフォラン、１，３−ジメチル−２−イミダゾリジノンおよびこれらの組合わせから成る群から選択されることを特徴とする請求項３３記載の方法。
【請求項５８】
水と混合し得る有機溶媒はオキシエチレンまたはオキシプロピレンの付加二量体、三量体または重合体、多価アルコールの低級アルキルエーテル、およびこれらの組み合わせから成る群から選択される高沸点の水と混合し得る有機溶媒を含むことを特徴とする請求項３３記載の方法。
【請求項５９】
インキ中の該水と混合し得る有機溶媒の濃度はインキの全重量に関し約２〜約３０重量％の範囲であることを特徴とする請求項３３記載の方法。
【請求項６０】
インキ中の該水と混合し得る有機溶媒の濃度はインキの全重量に関し約５〜約２０重量％の範囲であることを特徴とする請求項５９記載の方法。
【請求項６１】
インキ中の該水と混合し得る有機溶媒の濃度はインキの全重量に関し約１０〜約１５重量％の範囲であることを特徴とする請求項６０記載の方法。
【請求項６２】
インキ中の水の濃度はインキの全重量に関し約５〜約９５重量％の範囲であることを特徴とする請求項３３記載の方法。
【請求項６３】
インキ中の水の濃度はインキの全重量に関し約３５〜約９０重量％の範囲であることを特徴とする請求項６２記載の方法。
【請求項６４】
インキ中の水の濃度はインキの全重量に関し約７０〜約９０重量％の範囲であることを特徴とする請求項６３記載の方法。
【請求項６５】
インキ中の染料の濃度はインキの全重量に関し約０．１〜約５５重量％の範囲であることを特徴とする請求項３３記載の方法。
【発明の詳細な説明】
【関連出願との関係】
【０００１】
本発明は２００１年２月１６日提出の暫定米国特許出願第６０／２６９，３６４号の利益を請求する。
【背景技術】
【０００２】
加熱式インキジェット印刷法（ｔｈｅｒｍａｌ  ｉｎｋ  ｊｅｔ  ｐｒｉｎｔ）は、分離したインキの液滴を印刷ヘッド（ｐｒｉｎｔ  ｈｅａｄ）のノズルから放出させ、これらの液滴を記録媒体に吸収させることにより、例えば紙または布のような記録媒体に画像を記録する通常使用されている方法である。加熱式インキジェット記録法により静かで高速の全カラー印刷を行う機会が提供される。また加熱式インキジェット・プリンターで印刷された画像は、記録材料にインキの液滴が吸収された後これを固定或いは処理する必要がほとんどない。
【０００３】
加熱式インキジェット印刷法はノンインパクト式（ｎｏｎ−ｉｍｐａｃｔ）印刷法であり、インキの液滴が生成した後、特定の順序でこれを印刷媒体の上に沈着させ印刷媒体の上に画像を形成させる方法である。価格が安く印刷された製品の品質の良いことが、比較的騒音を伴わずにインキジェット・プリンターの操作ができることと組み合わされて、インキジェット印刷法は広く普及し、個人消費者、事務所および工業的な設置場所における他のタイプの印刷法に対する経済的な代替品になってきた。
【０００４】
加熱式インキジェット印刷法は、ノンインパクト式印刷法（ｎｏｎ−ｉｍｐａｃｔ  ｐｒｉｎｔｉｎｇ）のドロップ・オン・デマンド（ｄｒｏｐ  ｏｎ  ｄｅｍａｎｄ）型の一例である。加熱式インキジェット以外のドロップ・オン・デマンド・システムの他の例には、ピエゾ電気式（ｐｉｅｚｏｅｌｅｃｔｒｉｃ）インキジェット、音響式インキジェット（ａｃｏｕｓｔｉｃ  ｉｎｋ  ｊｅｔ）および振動式インキジェット・システム（ｖｉｂｒａｔｉｎｇ  ｉｎｋ  ｊｅｔ  ｓｙｓｔｅｍ）がある。ドロップ・オン・デマンド・システムの他に、連続流インキジェット印刷システムも存在している。連続流インキジェット・システムにおいては、圧力をかけて少なくとも１個のオリフィスまたはノズルからインキを放出させる。次いでオリフィスから一定の距離の所でインキの流れを破って液滴にし、このインキの液滴をその後記録媒体の方へ向かわせるか、或いは印刷用インキ供給源へ循環させる。
【０００５】
ドロップ・オン・デマンド・システムにおいては、記録媒体の上にインキの液滴が置かれない限り、インキの液滴が生成したり印刷ヘッドから放出されたりすることはない。従って、ドロップ・オン・デマンド・システムはインキの回収或いは後放出処理を必要としないから、典型的にはドロップ・オン・デマンド・システムは連続流インキジェット・システムに比べ構造および操作が若干簡単である。加熱式インキジェット・システム（或る場合にはバブル・ジェット・システムとも呼ばれる）はドロップ・オン・デマンド・インキジェット印刷システムの最も一般的な型の一つである。
【０００６】
加熱式インキジェット印刷法においては、液滴を生成および放出するためのエネルギーは、電気的に加熱された抵抗器要素によってつくられる。この抵抗器要素はマイクロプロセッサーからの電気信号に応答して迅速に加熱を行い蒸気の泡を生成させる。インキの正常の沸点よりも遥かに高くまで過熱することによって泡が生成する。泡の膨張によってインキの液滴は高速度でノズルから押し出され記録媒体ヘと向かう。泡が潰れた後、抵抗器要素の近傍のインキの通路は毛管作用によって再び充填される。
【０００７】
加熱式インキジェット印刷法によって印刷されるインキのための着色剤は一般に染料または顔料として分類することができる。従って加熱式インキジェット・プリンターは、記録媒体の上に画像を印刷するために染料、顔料または染料と顔料との組み合わせを組み込むことができる。これらの３種の中で染料をベースにした加熱式インキジェット・プリンター用インキ組成物が最も広く市販されている。
【技術分野】
【０００８】
現在産業界で使用されている染料をベースにした加熱式インキジェット用のインキは、被覆された絹および被覆された綿の両方の基質の上で許容できる結果を達成することができない。本発明は直接染料を組み込むことができる加熱式インキジェット・プリンター用インキに関する。さらに本発明は多様な種類の織物媒体の上に印刷された画像を形成させることができる染料をベースにした加熱式インキジェット・プリンター用インキに関する。
【発明の開示】
【０００９】
本発明の簡単な要約
本発明はインキジェット用のインキを製造する方法を含んでいる。この方法は水と混合し得る有機溶媒（ｗａｔｅｒ  ｍｉｓｃｉｂｌｅ  ｏｒｇａｎｉｃ  ｓｏｌｖｅｎｔ）、水、および染料を一緒にし、該水と混合し得る有機溶媒、水および染料を一緒に配合してインキジェット用のインキを生成させる方法を含んでいる。この方法で調製されたインキジェット用のインキは多様な種類の被覆された織物および布地の上に印刷された画像を形成させることができる。本発明はさらに、記録媒体の上に印刷された画像を形成させる方法、および加熱式インキジェット用インキを含んでいる。
【発明を実施するための最良の形態】
【００１０】
本発明は一般に加熱式インキジェット・プリンターに使用するための染料をベースにしたインキジェット用インキの製造法に関する。本発明のインキは多様な種類の被覆した織物に有利に塗布することができる。さらに特定的に述べれば、本発明の特定のインキは、被覆した絹および被覆した綿の織物の両方に塗布して、基質の違いにもかかわらず許容できる結果を得ることができる。このことは、被覆した絹および被覆した綿の織物基質の両方に対しては許容できる結果を得ることができない従来法の染料をベースにした加熱式インキジェット用のインキに比べ、一つの進歩である。本発明のインキのこの有利な性質の大部分は、陰イオン性、陽イオン性、反応性または分散性染料に対立するものとして直接染料を使用することに由来すると考えられる。被覆した絹および被覆した綿織物の基質の両方に対し本発明のインキを塗布できることは、本発明のインキの組成および染料の選択によるものである。本発明のインキは一緒にすべき比較的廉価な成分を用い非常に簡単な混合法により簡単な装置を使用して得ることができる。
【００１１】
本発明のインキは最小限度、水、水と混合し得る有機溶媒、および染料を含んでいる。この染料は染料溶液の一部として得ることができる。本発明のインキの一部として混入され得る染料溶液は染料と染料に対する液体担体、典型的には水の双方を含んでいる。染料は通常調製された形で市販品として得られる。適当な市販品の染料の幾つかの例には、米国ニュージャージー州、Ｅｌｍｗｏｏｄ  ＰａｒｋのＴｒｉｃｏｎ  Ｃｏｌｏｒｓ  ＬＬＣ製のＤｉｒｅｃｔ  Ｙｅｌｌｏｗ  １３２  Ｄｙｅ；米国ノ−スカロライナ州、ＣｈａｒｌｏｔｔｅのＣｒｏｍｐｔｏｎ  ＆  Ｋｎｏｗｌｅｓ  Ｃｏｌｏｒｓ  Ｉｎｃｏｒｐｏｒａｔｅｄ製のＩｎｔｒａｊｅｔ  Ｌｉｑｕｉｄ  Ｍａｇｅｎｔａ  ＤＪＬ；および米国ロードアイランド州、ＣｏｖｅｎｔｒｙのＣｌａｒｉａｎｔ  Ｃｏｒｐｏｒａｔｉｏｎ製のＤｕａｓｙｎ  Ｄｉｒｅｃｔ  Ｔｕｒｑｕｏｉｓｅ  Ｂｌｕｅ  ＦＲＬ−ＳＦ  Ｌｉｑｕｉｄ  および  Ｄｕａｓｙｎ  Ｄｉｒｅｃｔ  Ｂｌａｃｋ  ＨＥＦ−ＳＦ  Ｌｉｑｕｉｄが含まれる。
【００１２】
本発明のインキに含まれる染料は好ましくは公称の粒径が約０．１μ以下であり、本発明のインキの優れた透明性を強化するために塩を含んでいない。染料および他の成分が大きな粒子状汚染物を含まないことを確保するためには、加熱式インキジェット・プリンターのような印刷装置の中にインキを入れる前に、インキを０．４５μのポリテトラフルオロエチレン（ＰＴＦＥ）のフィルターで濾過することが推奨される。
【００１３】
本発明のインキの水と混合し得る有機溶媒の全部ではないがいくつかの例には、エーテル、例えばテトラヒドロフラン、ジオキサン、グリコールエーテル等；オキシエチレンまたはオキシプロピレンの付加二量体、三量体、または重合体、例えばジエチレングリコール、トリエチレングリコール、、テトラエチレングリコール、ジプロピレングリコール、トリプロピレングリコール、ポリエチレングリコール、ポリプロピレングリコール等；炭素数２〜６のアルキレン基を有するアルキレングリコール、例えばエチレングリコール、プロピレングリコール、トリメチレングリコール、ブチレングリコール、１，２，６−ヘキサントリオール、ヘキシレングリコール等；チオジグリコール；グリセリン、多価アルコールの低級アルキルエーテル、例えばエチレングリコールモノメチル（またはモノエチル）エーテル、ジエチレングリコールモノメチル（またはモノエチル）エーテル、トリエチレングリコールモノメチル（またはモノエチル）エーテル、プロピレングリコールモノメチル（またはモノエチル）エーテル、ジプロピレングリコールモノメチル（またはモノエチル）エーテル、トリプロピレングリコールモノメチル（またはモノエチル）エーテル等；多価アルコールの低級ジアルキルエーテル、例えばトリエチレングリコールジメチル（またはジエチル）エーテル、テトラエチレングリコールジメチル（またはジエチル）エーテル；スルフォラン；１，３−ジメチル−２−イミダゾリジノン；およびこれらの任意の組み合わせが含まれる。
【００１４】
本発明のインキにおける水と混合し得る有機溶媒の濃度はインキの全重量に関し一般に約２〜約３０重量％の範囲であり得る。本発明のインキにおける水と混合し得る有機溶媒の濃度は好ましくはインキの全重量に関し約５〜約２０重量％の範囲である。本発明のインキにおける水と混合し得る有機溶媒の濃度は最も好ましくはインキの全重量に関し約１０〜約１５重量％の範囲である。
【００１５】
上記の水と混合し得る有機溶媒の任意のものを単独で或いは組み合わせて水と混合し得る有機溶媒成分として使用することができる。組み合わせて使用する場合、上記の種々の例の水と混合し得る有機溶媒を任意の組み合わせで一緒に使用することができる。しかし、インキの水と混合し得る有機溶媒は、オキシエチレンまたはオキシプロピレンの付加二量体、三量体または重合体、多価アルコールの低級アルキルエーテル、およびこれらの任意の組み合わせから選択される、高沸点の水と混合し得る有機溶媒を含んでいることが好ましい。
【００１６】
「高沸点」の水と混合し得る有機溶媒は沸点がゲージ圧の１気圧において水の沸点より高い（＞２１２°Ｆ）水と混合し得る有機溶媒である。水および高沸点の水と混合し得る有機溶媒は共融混合物を形成する。高沸点の水と混合し得る有機溶媒は水がインキから蒸発する速度を抑制すると考えられる。従って水の蒸発速度を抑制することにより高沸点の水と混合し得る溶媒は、インキの液滴の生成中およびその後においてさえも染料が均一にインキの中に分散し続けるのを助けると思われる。
【００１７】
通常、蒸溜水または脱イオン水が使用される。水と混合し得る有機溶媒および染料と組み合わせて使用される水は、本発明のインキの中においてインキの全重量に関し約５〜約９５重量％の範囲の濃度で存在することができる。さらに好ましくは、水は、本発明のインキの中においてインキの全重量に関し約３５〜約９０重量％の範囲の濃度で存在する。最も好ましくは、水は、本発明のインキの中においてインキの全重量に関し約７０〜約９０重量％の範囲の濃度である。
【００１８】
水と混合し得る有機溶媒と水を組み合わせて本発明のインキを生成させる染料は、インキに対して選ばれる特定の染料に依存して、一般にインキの全重量に関して約０．１〜約５５重量％の割合でインキの中に存在することができる。例えば、黄色の染料がＤｉｒｅｃｔ  Ｙｅｌｌｏｗ  １３２  Ｄｙｅである場合、黄色のインキは約０．１〜約３０重量％の黄色の染料を含み、マゼンタの染料がＩｎｔｒａｊｅｔ  Ｌｉｑｕｉｄ  Ｍａｇｅｎｔａ  ＤＪＬである場合、マゼンタのインキは約０．１〜約４５重量％の染料を含み、シアンの染料が  Ｄｕａｓｙｎ  Ｄｉｒｅｃｔ  Ｔｕｒｑｕｏｉｓｅ  Ｂｌｕｅ  ＦＲＬ−ＳＦ  Ｌｉｑｕｉｄである場合、シアンのインキは約０．１〜約４５重量％の黄色の染料を含み、黒色の染料がＤｕａｓｙｎ  Ｄｉｒｅｃｔ  Ｂｌａｃｋ  ＨＥＦ−ＳＦ  Ｌｉｑｕｉｄである場合、黒色のインキは約０．１〜約５５重量％の黒色の染料を含むように製造する事ができる。
【００１９】
インキの成分はこれらの成分が染料の沈澱または分離を引き起こし或いはそれを助けることがないように選ばれる。ジプロピレングリコールはインキジェット・プリンターの噴出ノズルの詰まりおよび目詰まりを防ぐ助けとなる湿潤剤（ｈｕｍｅｃｔａｎｔ）として作用することが見出されているから、これはインキに使用する好適な高沸点の水と混合し得る有機溶媒である。多価アルコールの低級アルキルエーテル、例えばジプロピレングリコールモノメチルエーテルは、インキを塗布する織物基質に対してインキの接着性を強化する考えられるので、これは高沸点の水と混合し得る有機溶媒の好適な例である。また多価アルコールの低級アルキルエーテルは、インキの液滴が生成しこれが記録媒体に塗布された後でも、染料のインキの中における分散を均一に保つ助けをすると考えられている。
【００２０】
本発明のインキの中に表面活性剤を混入することができるが、インキの中に表面活性剤を含ませないことが好適である。インキの中に含まれる表面活性剤の役割は、インキの液体成分の表面張力を減少させ、インキの中の染料の分散を高めることである。多くの染料に対しては、インキの中における染料の分散を維持するためにこのような表面活性剤を用いる必要はないと考えられている。それにも拘わらず、インキの全重量に関し約０．１〜約１．０重量％の範囲の濃度でインキの中に表面活性剤を含ませることができる。若干の市販品の染料は表面活性剤を含んでいると思われる。また、インキの中に含ませ得る水と混合し得る表面活性剤のいくつかの例は（１）米国ペンシルバニア州、ＡｌｌｅｎｔｏｗｎのＡｉｒ  Ｐｒｏｄｕｃｔｓ  ａｎｄ  Ｃｈｅｍｉｃａｌｓ，Ｉｎｃ．製の表面活性剤ＳＵＲＦＹＮＯＬ（Ｒ）のラインからの表面活性剤、および（２）米国コネチカット州、ＤａｎｂｕｒｙのＵｎｉｏｎ  Ｃａｒｂｉｄｅ，Ｉｎｃ．製の表面活性剤ＴＥＲＧＩＴＯＬ（Ｒ）およびＴＲＩＴＯＮ（Ｒ）のラインからの表面活性剤である。適当なＳＵＲＦＹＮＯＬ（Ｒ）表面活性剤の全部ではないが若干の例にはＳＵＲＦＹＮＯＬ（Ｒ）４４０、５０２および５０４表面活性剤が含まれる。適当なＴＥＲＧＩＴＯＬ（Ｒ）の全部ではないが若干の例にはＴＥＲＧＩＴＯＬ（Ｒ）１５−５−７および１５−５−９表面活性剤が含まれる。ＴＲＩＴＯＮ（Ｒ）表面活性剤の全部ではないが若干の例にはＴＲＩＴＯＮ（Ｒ）ＣＦ−１０、ＣＦ−２１およびＸＬ−８０Ｎ表面活性剤が含まれる。
【００２１】
水と混合し得る有機溶媒、水および染料の他に、さらに本発明のインキは存在する可能性がある有害な生物に対しインキの長期的な安定性を高める殺虫剤（ｂｉｏｃｉｄｅ）を含んでいることができる。適当な市販の殺虫剤は米国デラウェア州、ＷｉｌｍｉｎｇｔｏｎのＺｅｎｅｃａ  Ｉｎｃｏｒｐｏｒａｔｅｄ製のＰｒｏｘｅｌ  ＧＸＬである。最も好ましくは、インキ中の殺虫剤の濃度はインキの全重量に関し約０．０５〜約０．２重量％の範囲である。
【００２２】
上記の本発明のインキは加熱式インキジェット・プリンター、例えばバブル・ジェット・プリンターに使用するのに特に適している。しかし望ましい場合には本発明のインキは他の型のインキジェット・プリンター、例えばピエゾ式インキジェット・プリンターに使用できるように変性することができる。このようにピエゾ式インキジェット印刷に使用するように変性する方法は、水に可溶な速乾性の重合体、例えばアクリル重合体を添加する方法を伴っている。しかしインキジェット印刷に使用するためには、アクリル重合体のような水に可溶な重合体は本発明のインキの中に含まれていない方が好ましい。何故なら、このような水溶性の重合体は加熱式インキジェット印刷に関して本発明のインキがもつ他の有利な性質を損なうからである。
【００２３】
有利なことには、本発明のインキは高速の加熱式インキジェット印刷に使用し、印刷されたインキの乾燥後、ギザギザの縁（ｒａｇｇｅｄ  ｅｄｇｅｓ）を実質的に含まない、好ましくは全く含まない円形のドットをつくることができる。本発明のインキを加熱式インキジェット・プリンターのインキ・セットの中で一緒に使用し、この際インキ・セットの異なったインキが異なった染料および／または異なった染料濃度で含むような場合、それぞれのインキ・セットは、高速の加熱式インキジェット印刷に使用し、特定のインキ・セットの他のインキを用いて得られるドットとほぼ同じ直径を有する円形のドットをつくることができる。
【００２４】
加熱式インキジェット・プリンターのインキ室からインキが高速で噴出するのを助けるためには、本発明によって調製されたインキは好ましくはインキの温度約２５℃において約１．０〜約４．０センチポアズの低いブルックフィールド（Ｂｒｏｏｋｆｉｅｌｄ）粘度を有していなければならない。さらに好ましくはインキはインキの温度約２５℃においてブルックフィールド粘度が約１．０〜約３．０センチポアズでなければならない。さらにより好ましくは本発明のインキはインキの温度約２５℃においてブルックフィールド粘度が約１．５〜約２．５センチポアズでなければならない。インキの粘度はＢｒｏｏｋｆｉｅｌｄ  Ｍｏｄｅｌ  ＤＶ−ＩＩＩプログラム可能レオメーターに小試料用アダプターを装着して測定される。Ｂｒｏｏｋｆｉｅｌｄ  Ｍｏｄｅｌ  ＤＶ−ＩＩＩレオメータは米国マサチューセッツ州、ＳｔｏｕｇｈｔｏｎのＢｒｏｏｋｆｉｅｌｄ  Ｅｎｇｉｎｅｅｒｉｎｇ  Ｌａｂｏｒａｔｏｒｉｅｓ，Ｉｎｃ．から入手できる。
【００２５】
特定のインキ試料の粘度（ブルックフィールド粘度）は、室温（約２５℃）のインキ試料について測定される。試験すべき特定のインキ約５ｇを小試料用アダプターの中に入れ、これをレオメーターの粘度測定用のセルの内部に入れる。測定される粘度が特定のスピンドルの範囲内に入るように選ばれた適当なスピンドルに識別記号を付け、これを測定用セルの中にある小試料用アダプターの内部に入れる。選ばれたスピンドルを本発明者の指示によって行われた較正実験に基づいて選ばれた毎分当たりの回転数（ＲＰＭ）で回転させながらブルックフィールド粘度の測定を行う。特記しない限り本明細書のすべての粘度の決定および規格において、Ｎｏ．１８のスピンドルを選び、粘度の測定の間これを約２２５ＲＰＭで回転させた。
【００２６】
また本発明に従って調製されたインキはそれぞれ約２５℃のインキ温度において約３０〜約７４ダイン／ｃｍ、より好ましくは約４０〜６０ダイン／ｃｍの範囲の表面張力を有していなければならない。最も好ましくは、記録媒体の上に存在する任意の被膜上における本発明のインキの相容性および均一な沈着性（ｌａｙ  ｄｏｗｎ）を高めるためには、インキは約２５℃のインキ温度において約５０〜約５５ダイン／ｃｍの表面張力を有していなければならない。特記しない限り、本明細書において挙げるすべての表面張力の値は、ＤｕＮＯＵＹの表面張力計を用いてＤｕＮＯＵＹの表面張力計に付属した使用説明書記載の表面張力測定法を使用して測定された値かそれに基づいた値である。この表面張力計は米国バージニア州、ＦａｉｒｆａｘのＣＳＣ  Ｓｃｉｅｎｔｉｆｉｃ  Ｃｏｍｐａｎｙ，Ｉｎｃ．から入手できる。 ここに記載されたすべての表面張力の値はインキ試料の温度約２５℃で測定された値である。
【００２７】
本発明のインキがインキジェット・プリンターのインキ・セットとして使用される多数の異なったインキとして調製される場合、インキ・セットの個々のインキの粘度が低いことは、インキ・セットの各インキに対してほぼ同じ直径のドットをつくる助けとなる。通常、何らかの相殺するような影響がない場合、異なったインキの表面張力により個々のドットと記録媒体との相互作用が異なるために、異なったインキから形成される個々のドットは高さが変化し、幾分異なった直径を有するであろう。しかし低い粘度を有するインキを調製することによって個々のインキの表面張力の影響は相殺され、異なったインキの個々のドットは記録媒体の上で平らになり所望の円形になる。さらにまた、実際の表面張力および粘度はインキ・セットの異なったインキの各々の中で注意深くバランスさせられており、記録媒体の上に加熱式インキジェット印刷法によって印刷した場合、例えば約４〜約５ミルのようなほぼ同じ直径をもつそれぞれ異なったインキの印刷されたドットを与える。
【００２８】
本発明により調製されたインキは高度に透明であることが見出された。上記に規定されたような本発明のインキに使用される染料は本発明のインキの透明性を高める助けをする。これに加えて、透明性は不純物、例えばインキの中にある塩の目安であるから、高度な透明性の値に基づいてインキ成分を選択することは、インキ中の不純物の量を最低限度に抑制する助けになる。インキ中の不純物の量を最低限度に抑制すると、インキジェット・プリンターのプリンター・ヘッドの上に不純物が沈澱しそれを覆うことが最低限度に抑制され、それによってプリンター・ヘッドの性能を最適化する助けになる。また沈澱可能な不純物を最低限度に抑制すると、プリンター・ヘッドの寿命も延びる。不純物の量を許容される低い値に確実に保持するためには、本発明に従って調製される個々のインキの液体伝導度（ｌｉｑｕｉｄ  ｃｏｎｄｕｃｔｉｖｉｔｙ）は好ましくは約１０ミリモー（ｍｉｌｌｉ−ｍｈｏ）またはそれ以下でなければならない。さらに好ましくは、インキ中の不純物の量を最低限度に抑制するためには、本発明のインキは約５ミリモー以下の液体伝導度を有していなければならない。特記しない限り、本明細書において記述されたすべての液体伝導度の決定は米国イリノイ州、Ｖｅｒｎｏｎ  ＨｉｌｌｓのＣｏｌｅ−Ｐａｒｍｅｒ  Ｉｎｓｔｒｕｍｅｎｔ  Ｃｏ．製のＭｏｄｅｌ  Ｎｏ．０１４８１−６１伝導度計を用い該Ｍｏｄｅｌ  Ｎｏ．  ０１４８１−６１伝導度計に付属した使用説明書記載の方法を使用して決定されるか、或いはそれに基づいた値である。全て液体伝導度の値は、インキ試料温度約２５℃において、又は基づいて決定される。
【００２９】
それに加えて、本発明に従って調製されるインキは加熱式インキジェット・プリンターの構成成分と両立できなければならない。本発明に従って調製されたインキは、プリンター・ヘッドの操作を高めプリンター・ヘッドの寿命を延ばすために不純物の量が低いことの他に、プリンター・ヘッドの構築にしばしば使用され酸性の環境下において腐蝕を受ける金属材料に対する腐蝕の可能性を最低限度に抑制するためには、約６．５〜約８．５の範囲のｐＨを有していることが好適である。特記しない限り、本明細書において記載され特定されたすべてのｐＨの決定は、米国イリノイ州、Ｖｅｒｎｏｎ  ＨｉｌｌｓのＣｏｌｅ−Ｐａｒｍｅｒ  Ｉｎｓｔｒｕｍｅｎｔ  Ｃｏ．製のＯａｋｔｏｎ  Ｍｏｄｅｌ  Ｎｏ，  ＷＤ−３５６１７−０２  Ｄｉｇｉｔａｌ  Ｂｅｎｃｈｔｏｐ  ｐＨ／ｍＶ／℃計を用い、該Ｍｏｄｅｌ  Ｎｏ，  ＷＤ−３５６１７−０２  Ｄｉｇｉｔａｌ  Ｂｅｎｃｈｔｏｐ  ｐＨ／ｍＶ／℃計に付属した使用説明書に記載された方法に基づいている。本明細書において掲げたすべてのｐＨ値は約２５℃のインキ試料温度において決定されるか、或いはその値に基づいている。
【００３０】
さらに他の考慮として、本発明のインキに使用される染料および他の成分は熱的に安定であり。従って加熱式インキジェット・プリンターのプリンター・ヘッドの中のインキが典型的に受ける最高温度である最高約３００℃までの温度範囲において熱分解されないものでなければならない。
【００３１】
本発明に従って調製されたインキは、典型的には約１分以内で、例えばインキに高温の空気を当てるような印刷インキの後処理を行うことなく極めて迅速に乾燥することができ、従って記録媒体の上に高速で多重ドット層をインキジェット法により印刷することができる。所望ならば、インキに高温の空気を当てインキの乾燥をさらに加速することができる。しかし、このように高温の空気を当てることはインキの迅速な乾燥速度を得る上で必須なことではない。
【００３２】
印刷されたインキが粘着性をもたず、指で圧力をかけた場合汚れることはない時に、本発明のインキは乾いていると考えられる。この場合も本発明のインキは、高温の空気を当てるような後処理を行なわなくても、典型的には記録媒体の上に印刷した後約１分間以内で乾燥するという標準を満たしている。
【００３３】
インキ・セットの中の個々のインキを含む個々のインキを本発明に従って調製する方法の正味の効果の一つは、各インキが比較的狭い範囲で極めて似た性能を有し、その結果、噴出性、インキジェット印刷の速度、および異なったインキの印刷されたドットの形および大きさが、それぞれの異なるインキに対して実質的に同じであることである。このことは、異なった染料を異なったインキの製造に使用する場合、および同じ色のインキを異なった染料濃度で使用する場合でもそうである。何故ならば、本発明に従って調製される異なったそれぞれのインキの染料はそれぞれ異なったインキの中で小さい割合しか占めていないからである。この方法で似た性能を個々のインキにもたせることにより、特に本発明の多色インキを含むインキ・セットを使用する場合、インキジェット印刷法が簡単になる。何故なら、異なったインキの間で類似した性能特性を有するインキをこのように使用すると、異なったインキの間で色以外の差を相殺する必要がなくなるからである。
【００３４】
本発明のインキの製造法は簡単且つ直截的であり、複雑で高価な処理装置又は方法を必要としない。先ずインキのすべての成分、例えば水、水と混合し得る有機溶媒、染料、殺虫剤、および任意の随時加えられる成分（例えば表面活性剤）を混合容器の中で一緒にする。その後一緒にした成分を発泡を促進しない市販の低剪断混合装置を用いて配合する。適当な一つの低剪断混合法は単にインキの種々の成分を一緒にしてゆっくりと撹拌し配合する方法である。
【００３５】
次にインキを真空に引く標準的な公知の方法でインキを真空に引き成分を混合した間に導入された空気の泡をインキから除去することができる。インキを真空に引くと共に、それに伴って通常の超音波振動源を用い捕捉されている空気の泡の除去を加速することことができる。次に、捕捉された空気の泡を除去した後、公称の細孔の大きさが０．４５μの適当な濾過媒体を用いて濾過することによりインキをさらに処理することが好ましい。
【００３６】
下記表１に示す実施例１〜８は、本発明に従って調製されたインキの好適な組成物を示す。
【００３７】
【表１】
2004526019.tif 000002
【００３８】
表１に与えられたすべての重量％の値は各実施例のインキの全重量に関する値である。
【実施例１】
【００３９】
使用した染料はＴｒｉｃｏｎ  Ｃｏｌｏｒｓ  ＬＬＣ製のＤｉｒｅｃｔ  Ｙｅｌｌｏｗ  １３２  Ｄｙｅであった。このインキ組成物は粘度が１．８４ｃｐ、表面張力が５１．９ダイン／ｃｍ、比重が１．０２３、伝導度が２．３７ミリモー、ｐＨが８．３であり、そして波長４２０ｎｍ、第１の希釈度１．０％、第２の希釈度１．５％における透過率（ｔｒａｎｓｍｉｔｔａｎｃｅ）が６３．４％であった。
【実施例２】
【００４０】
使用した染料はＣｒｏｍｐｔｏｎ  ＆  Ｋｎｏｗｌｅｓ  Ｃｏｌｏｒｓ  Ｉｎｃｏｒｐｏｒａｔｅｄ製のＩｎｔｒａｊｅｔ  Ｌｉｑｕｉｄ  Ｍａｇｅｎｔａ  ＤＪＬであった。このインキ組成物は粘度が２．１３ｃｐ、表面張力が５０．１ダイン／ｃｍ、比重が１．０３３、伝導度が３．５６ミリモー、ｐＨが６．３であり、そして波長５４０ｎｍ、第１の希釈度１．０％、第２の希釈度１．５％における透過率が６１．６％であった。
【実施例３】
【００４１】
使用した染料はＣｌａｒｉａｎｔ  Ｃｏｒｐｏｒａｔｉｏｎ製のＤｕａｓｙｎ  Ｄｉｒｅｃｔ  Ｔｕｒｑｕｏｉｓｅ  Ｂｌｕｅ  ＦＲＬ−ＳＦ  Ｌｉｑｕｉｄであった。このインキ組成物は粘度が２．０１ｃｐ、表面張力が５２．１ダイン／ｃｍ、比重が１．０３５、伝導度が２．９９ミリモー、ｐＨが８．３であり、そして波長６６５ｎｍ、第１の希釈度１．０％、第２の希釈度１．０％における透過率が６１．６％であった。
【実施例４】
【００４２】
使用した染料はＣｌａｒｉａｎｔ  Ｃｏｒｐｏｒａｔｉｏｎ製のＤｕａｓｙｎ  Ｄｉｒｅｃｔ  Ｂｌａｃｋ  ＨＥＦ−ＳＦ  Ｌｉｑｕｉｄであった。このインキ組成物は粘度が２．４１ｃｐ、表面張力が５２．７ダイン／ｃｍ、比重が１．０３３、伝導度が３．５０ミリモー、ｐＨが７．２であり、そして波長６２０ｎｍ、第１の希釈度１．０％、第２の希釈度１．０％における透過率が５６．８％であった。
【実施例５】
【００４３】
使用した染料はＴｒｉｃｏｎ  Ｃｏｌｏｒｓ  ＬＬＣ製のＤｉｒｅｃｔ  Ｙｅｌｌｏｗ  １３２  ＤｙｅおよびＣｒｏｍｐｔｏｎ  ＆  Ｋｎｏｗｌｅｓ  Ｃｏｌｏｒｓ  Ｉｎｃｏｒｐｏｒａｔｅｄ製のＩｎｔｒａｊｅｔ  Ｌｉｑｕｉｄ  Ｍａｇｅｎｔａ  ＤＪＬであった。このインキ組成物は粘度が１．９４ｃｐ、表面張力が５２．９ダイン／ｃｍ、比重が１．０２５、伝導度が２．８４ミリモー、ｐＨが７．３であり、そして波長５００ｎｍ、第１の希釈度１．０％、第２の希釈度２．０％における透過率が８２．８％であった。
【実施例６】
【００４４】
使用した染料はＴｒｉｃｏｎ  Ｃｏｌｏｒｓ  ＬＬＣ製のＤｉｒｅｃｔ  Ｙｅｌｌｏｗ  １３２  Ｄｙｅ、Ｃｒｏｍｐｔｏｎ  ＆  Ｋｎｏｗｌｅｓ  Ｃｏｌｏｒｓ      Ｉｎｃｏｒｐｏｒａｔｅｄ製のＩｎｔｒａｊｅｔ  Ｌｉｑｕｉｄ  Ｍａｇｅｎｔａ  ＤＪＬおよびＣｌａｒｉａｎｔ  Ｃｏｒｐｏｒａｔｉｏｎ製のＤｕａｓｙｎ  Ｄｉｒｅｃｔ  Ｔｕｒｑｕｏｉｓｅ  Ｂｌｕｅ  ＦＲＬ−ＳＦ  Ｌｉｑｕｉｄであった。このインキ組成物は粘度が２．１８ｃｐ、表面張力が５１．７ダイン／ｃｍ、比重が１．０３４、伝導度が３．３４ミリモー、ｐＨが７．５であり、そして波長５０５ｎｍ、第１の希釈度１．０％、第２の希釈度１．５％における透過率が７８．６％であった。
【実施例７】
【００４５】
使用した染料はＣｒｏｍｐｔｏｎ  ＆  Ｋｎｏｗｌｅｓ  Ｃｏｌｏｒｓ  Ｉｎｃｏｒｐｏｒａｔｅｄ製のＩｎｔｒａｊｅｔ  Ｌｉｑｕｉｄ  Ｍａｇｅｎｔａ  ＤＪＬであった。このインキ組成物は粘度が１．７３ｃｐ、表面張力が５１．８ダイン／ｃｍ、比重が１．０２０、伝導度が１．７１ミリモー、ｐＨが７．０であり、そして波長５４０ｎｍ、第１の希釈度１．０％、第２の希釈度２．０％における透過率が６１．０％であった。
【実施例８】
【００４６】
使用した染料はＣｌａｒｉａｎｔ  Ｃｏｒｐｏｒａｔｉｏｎ製のＤｕａｓｙｎ  Ｄｉｒｅｃｔ  Ｔｕｒｑｕｏｉｓｅ  Ｂｌｕｅ  ＦＲＬ−ＳＦ  Ｌｉｑｕｉｄであった。このインキ組成物は粘度が１．６３ｃｐ、表面張力が５３．４ダイン／ｃｍ、比重が１．０２０、伝導度が１．５７ミリモー、ｐＨが７．８であり、そして波長６６５ｎｍ、第１の希釈度１．０％、第２の希釈度２．０％における透過率が７２．４％であった。
【００４７】
本発明は、実施例１〜８に挙げたものの他に、上記に記載した詳細点に従って多くの他の調合物を含むことができる。例えば黄色のインキは約５〜約３０重量％の黄色の染料を含み、マゼンタのインキは約５〜約４５重量％のマゼンタの染料を含み、シアンのインキは約５〜約４５重量％のシアンの染料を含み、黒色のインキは約５〜約５５重量％の黒色の染料を含むようにつくることができる。さらに橙色のインキは約５〜約２０重量％の黄色の染料と約５〜約２５重量％のマゼンタの染料とを含ませてつくることができ、青色のインキは約５〜約３０重量％の黄色の染料と約５〜約３０重量％のシアンの染料とを含ませてつくることができる。染料の量を変化させながら、染料の濃度の変化とは反対の方向に蒸溜水の量を同じ重量％だけ変化させ、他方特定の水と混合し得る有機溶媒（例えばジプロピレングリコールおよびジプロピレングリコールモノメチルエーテル）の濃度（重量％）を同じかほぼ同じに維持することにより、さらに他の例を続けて挙げて行くことができる。
【００４８】
本発明のインキは米国ミネソタ州、Ｅｄｅｎ  ＰｒａｉｒｉｅのＭａｃＤｅｒｍｉｄ  ＣｏｌｏｒＳｐａｎ  Ｃｏｒｐｏｒａｔｉｏｎ，Ｉｎｃ．製の加熱式インキジェット・プリンターに好適に使用される。ＣｏｌｏｒＳｐａｎ  Ｃｏｒｐｏｒａｔｉｏｎ，Ｉｎｃ．製の好適なインキジェットプリンターの一つはＤＩＳＰＬＡＹＭＡＫＥＲ（Ｒ）  Ｓｅｒｉｅｓ  ＸＩＩ大型インキジェット・プリンターである。本発明に従って調製されたインキおよびインキ・セットが、上記の特定の型の加熱式インキジェット・プリンターの他に、他の型のインキジェット・プリンター、例えば他のモデルの加熱式インキジェット・プリンター、ピエゾ式インキジェット・プリンターおよびプランジャー（ｐｌｕｎｇｅｒ）式インキジェット・プリンターにも組み込むことができることは、当業界の専門家は容易に理解できるであろう。
【００４９】
また本発明のインキは、米国ミネソタ州、Ｅｄｅｎ  ＰｒａｉｒｉｅのＭａｃＤｅｒｍｉｄ  ＣｏｌｏｒＳｐａｎ  Ｃｏｒｐｏｒａｔｉｏｎ，Ｉｎｃ．製のＣＯＬＯＲＭＡＲＫ（Ｒ）オンヘッド・カメラ（ｏｎ−ｈｅａｄ  ｃａｍｅｒａ）システムと関連して使用することができる。ＣＯＬＯＲＭＡＲＫ（Ｒ）オンヘッド・カメラシステムは「自動的にインキを製造し、種々の色のインキおよびインキのタイプに対し媒体に依存して色の変換を行い、色域を検証し、該インキを塗布する方法（  ”Ｍｅｔｈｏｄ  ｆｏｒ  Ａｕｔｏｍａｔｉｃａｌｌｙ  Ｆｏｒｍｉｎｇ  Ｉｎｋ  ａｎｄ  Ｍｅｄｉａ−Ｄｅｐｅｎｄｅｎｔ  Ｃｏｌｏｒ  Ｔｒａｎｓｆｏｒｍｓ  Ｆｏｒ  Ｄｉｖｅｒｓｅ  Ｃｏｌｏｒｅｄ  Ｉｎｋｓ  ａｎｄ  Ｉｎｋ  Ｔｙｐｅｓ，  Ｖａｌｉｄａｔｉｎｇ  Ｃｏｌｏｒ  ｇａｍｕｔ，  ａｎｄ  Ａｐｐｌｙｉｎｇ  Ｓａｉｄ  Ｉｎｋｓ”）」と題する１９９９年３月２日出願の米国特許出願第０９／２６０，９２５号に詳細に記載されている。この特許の詳細は引用により本明細書に包含される。ＣＯＬＯＲＭＡＲＫ（Ｒ）オンヘッド・カメラシステムは、異なった色の多数の印刷されたインキから得られるＬ＊、ａ＊およびｂ＊の値の表を作り、各画素のこのＬ＊、ａ＊およびｂ＊の値を原画像にマッピングし、しかる後にこのＬ＊、ａ＊およびｂ＊の値の表を使用して原画像から得られたＬ＊、ａ＊およびｂ＊の値を加熱式インキジェット・プリンターのプロセス印刷により適用できるインキ・セットの組に変換し、原画像を正確に複製するのに使用される。本発明のインキのもつ長期間に亙る安定性、およびインキの特定の調合物を印刷する基質の如何に拘わらず本発明のインキのそれぞれの別々の調合物が印刷されたドットの中に同じ色を繰り返し再現できる能力のために、本発明のインキはＣＯＬＯＲＭＡＲＫ（Ｒ）オンヘッド・カメラシステムで使用するのに特に適している。
【００５０】
本発明のインキを多様な種々の型のインキジェット・プリンターの中に組み込むことができることの他に、実施例１〜８に全部ではないがその幾つかの例をを示した本発明のインキは、非常に広い範囲の異なった記録媒体の上に高品質で均一な円形のドットを印刷することができる。このような記録媒体の例としては全部ではないが被覆した布地、被覆した織物、および被覆した繊維布がある。
【００５１】
勿論、印刷装置を通す際に記録媒体の寸度安定性を高めるために、記録媒体は本発明のインキで印刷されない記録媒体の側に通常の一時的なまたは永久的な裏地を取り付け、印刷工程の間の伸長のような記録媒体の寸法的な不安定性を防ぐようにすることができる。このような一時的な裏地材料は、本発明のインキを記録媒体の上に印刷した後の適当な時に通常の方法に従って取り除くことができる。
【００５２】
本発明の染料をベースにしたインキに対し記録媒体としての役目を果たす織物および繊維布は、（１）合成の、（２）動物由来の、（３）植物由来の、或いはこれらの任意の組み合わせから成る織ったまたは編んだ紡ぎ糸（ｙａｒｎ）および撚り糸（ｔｈｒｅａｄ）または繊維をベースにしていることができる。合成した糸または繊維の全部ではないが幾つかの例には重合体材料、例えばポリオレフィン（即ちポリエチレン、ポリプロピレンおよびポリスチレン）、ポリエステル（例えばポリエチレンテレフタレートおよびポリブチレンテレフタレート）、スパンデックス、アクリロニトリル、ポリアミド、酢酸ビニル、塩化ビニル、レーヨン、これらの任意の共重合体、およびこれらの任意の混合物からつくられた或いはこれらを混入された糸または繊維が含まれる。動物性の糸または繊維の全部ではないが幾つかの例には、絹、羊毛、カシミヤ、キヴィウート（ｑｉｖｉｕｔ、ジャコウウシの毛）、モヘア、獣類の毛およびこれらの任意の組み合わせからつくられた或いはこれらが混入された糸または繊維が含まれる。適当な獣毛を生産する若干の獣類の例はアルパカ、アンゴラ、ビーバー、ラクダ、キツネ、アライグマおよびイタチである。植物性の紡ぎ糸、撚り糸または繊維の全部ではないが幾つかの例には、マニラ麻、リネン、綿、亜麻、カラムシ（ｒａｍｉｅ）、麻、ジュート、サイザル麻、ケナフ（ｋｅｎａｆ）、サンヘンプ（ｓｕｎｎ）、ボンテンカ（ｕｒｅｎａ），アルギネート（ａｌｇｉｎａｔｅ）、セルロース、およびこれらの任意の組み合わせからつくられた或いはこれらが組み込まれた紡ぎ糸、撚り糸または繊維が含まれる。
【００５３】
本発明のインキと共に使用するための、上記に示したすべてを網羅していない記録媒体のリストは、被覆された記録媒体、例えば被覆された布地、被覆された織物、被覆された繊維布等によって記述される。特記しない限り、例として挙げられた記録媒体に関連した「被覆された」という言葉は、本発明のインキを印刷する前に被覆された記録媒体を意味し、（１）記録媒体の一つまたはそれ以上の機能的な特性、例えば耐摩耗性、耐久性、寸法安定性、色堅牢性等を高めるために設計された物質、および／または（２）本発明のインキの記録媒体への吸収および／または接着を助けるために設計された物質、を用いて被覆された記録媒体を意味するものとする。
【００５４】
本発明のインキを塗布する記録媒体は本発明のインキの記録媒体への吸収および／または本発明のインキの記録媒体への接着を助けるために設計された基質の被覆を含んでいる。本発明のインキを記録媒体へ塗布した後、織物工業界では典型的には後処理工程、例えば水蒸気または水蒸気と空気とを印刷された染料をベースにしたインキ・ドットに当て印刷された染料をベースにしたインキ・ドットを上記の被覆した形の記録媒体に固定する工程が含まれている。最後の処理工程として印刷された記録媒体を高温および低温の水で洗滌し、過剰の染料を除去する。
【００５５】
また、本発明に従って調製された加熱式インキジェット印刷用インキによってつくられたインキのドットは、印刷された層状のインキ・ドットを眺めた場合に視覚的に観察される色に影響を及ぼすことなく、いかなる順序でも互いに重ね得ることが見出された。このように視覚的に観察される色を変更することなくドットを重ねる順序を変更できることは、黒色染料をベースにしたインキ以外の本発明のインキの任意の色をベースにしたインキ・ドットに適用される。二つ以上のインキ・ドットが同じ染料の異なった濃度を有するインキをベースにしている場合でも、この能力は存在していることが見出された。
【００５６】
一例として、表１の黒色のインキを印刷されたドットの重ねから除外した場合、この能力は表１のシアン・インキ、マゼンタ・インキおよび黄色のインキに関して観察される。表１のこれらのドットがどのように重ねられたかには無関係に、重ねられたインキ・ドットの視覚的に観察される色は同じままである。例えば、任意の特定の加熱式インキジェット・プリンターを用いて、表１の中程度のシアン・インキ・ドットを白色の記録紙（図示せず）のシートの上に置き、表１の暗いマゼンタ・インキ・ドットを中程度のシアン・インキの上に置き、次に表１の黄色のインキ・ドットをシアン・インキの上に置いた場合、白色の記録紙の上に層状に積み重ねられた種々のドットにより形成された画像を見た時に視覚的に観察される色は、同じ加熱式インキジェット・プリンターを用い、同じ黄色のインキ・ドットを先ず白色の記録紙の上に置き、同じ中程度のシアン・インキ・ドットを黄色のインキ・ドットの上に置き、次いで暗いマゼンタのインキ・ドットを中程度のシアンのインキ・ドットの上に置いて得られた異なった画像の視覚的に観察される色と同じであることが見出された。
【００５７】
インキの異なった色を異なった順序で置いて異なった画像をつくり、この異なった画像を見た場合実質的に同じ色を視覚的に観察できるこの能力は、少なくとも部分的には、本発明に従って調製されたインキが高い透明度をもっていること、および本発明のインキを生成させるのに用いられた染料が熱的に安定であることの両方によるものであると考えられる。加熱式インキジェット印刷により基質の上に従来法のインキの異なった色を異なった順序で重ねると、明らかに従来法のインキは典型的には幾分不透明性をもっているから、得られる画像の視覚的に観察される色は若干変化する。
【００５８】
本発明に従ってつくられるインキ・セットは、例えば画素マトリックスの中の個々のドットの上にドットが重ねられたハーフトーンの画像のような多様な異なったタイプの画像を形成させるのに用いることができるが、本発明に従ってつくられるインキ・セットはストカスティックな（ｓｔｏｃｈａｓｔｉｃ、確率的な）画像を形成させるのに特に有用であることが見出された。ストカスティックな画像をつくる場合、インキジェット・プリンターにより１種またはそれ以上の基底となるインキ・ドットを先ず基質の上に印刷する。この基底インキ・ドットはすべて同じ色であることも或いは任意の組み合わせの異なった色であることもできる。また、基底インキ・ドットを形成させるのに用いられるインキの色は同じ染料の二つまたはそれ以上の異なった濃度を有することもできる。各基底インキ・ドットは画像の他の基底インキ・ドットに関していかなる方法で配置することもできる。例えば基底インキ・ドットの幾つかは他の基底インキ・ドットと重なっていることができる。他の例としては、基底インキ・ドットの任意のものは印刷された画像の中で他の基底インキ・ドットから任意の間隔で離れていることができる。
【００５９】
基底インキ・ドットを基質の上に配置した後、基底インキ・ドットの層の上に１種またはそれ以上の第２のインキ・ドットを任意のパターンで印刷することができる。第２のインキ・ドットはすべて同じ色であることも或いは任意の組み合わせの異なった色であることもできる。また第２のインキ・ドットを形成させるのに用いられるインキの色は同じ染料の二つまたはそれ以上の異なった濃度を有していることもできる。各々の第２のインキ・ドットは基底インキ・ドットおよび他の第２のインキ・ドットに関し任意の方法で配置され、画像の中で所望の色の組み合わせを得ることができる。例えば、任意の第２のインキ・ドットは他の第２のインキ・ドットおよび／または任意の基底インキ・ドットと重なっていることができる。他の例としては、第２のインキ・ドットの任意のものは画像の中で他の第２のインキ・ドットから任意の間隔で離れて位置することができる。
【００６０】
また、さらに追加のインキ・ドットの一つまたはそれ以上の異なる層（例えば第３の層、第４の層等）を第２のインキ・ドットの上に塗布してさらに印刷された画像を変更することができる。これらの他の層の個々のドットは１個またはそれ以上の第２のインキ・ドットおよび／または画像の中に存在する他のドット、例えば基底インキ・ドットと重なり、印刷された画像の中に所望の色の組み合わせを得ることができる。第２のインキ・ドットに関してなされたすべての記述はこの画像に適用された追加のドットに関しても等しく適用される。この方法でつくられる画像の重要な特徴は、画像が完全に記録媒体即ち基質を覆い、画像を通して記録媒体または基質が直接には見えないことである。このことはインキジェット・プリンターで印刷されたハーフトーンの画像とは異なっている。後者の場合には画像を記録媒体または基質に塗布した後も基質を見ることができる。
【００６１】
インキ・セットは、本発明のインキを予め選択し、コンピューター制御によって予め定められた方法で印刷し、米国ニュージャージー州、ＣａｒｌｓｔａｄｔのＰａｎｔｏｎｅ，Ｉｎｃ．から入手できるＰＡＮＴＯＮＥ  ＭＡＴＣＨＩＮＧ  ＳＹＳＴＥＭ（Ｒ）のような市販されている色標準の個々のインキの色と合わせことによってつくることができる。ＰＡＮＴＯＮＥ  ＭＡＴＣＨＩＮＧ  ＳＹＳＴＥＭ（Ｒ）の色合わせシステムは全部で１４種の異なった顔料インキの標準色をベースにしている。これらの１４種の異なったインキの標準色は現在では（１）ＰＡＮＴＯＮＥ（Ｒ）黄インキ、（２）ＰＡＮＴＯＮＥ（Ｒ）黄０１２インキ、（３）ＰＡＮＴＯＮＥ（Ｒ）橙０２１インキ、（４）ＰＡＮＴＯＮＥ（Ｒ）暖色赤インキ、（５）ＰＡＮＴＯＮＥ（Ｒ）赤３２インキ、（６）ＰＡＮＴＯＮＥ（Ｒ）ルビー（ｒｕｂｉｎｅ）赤インキ、（７）ＰＡＮＴＯＮＥ（Ｒ）ローダミン赤インキ、（８）ＰＡＮＴＯＮＥ（Ｒ）紫インキ、（９）ＰＡＮＴＯＮＥ（Ｒ）菫インキ、（１０）ＰＡＮＴＯＮＥ（Ｒ）青０７２インキ、（１１）ＰＡＮＴＯＮＥ（Ｒ）反射青インキ、（１２）ＰＡＮＴＯＮＥ（Ｒ）プロセス青インキ、（１３）ＰＡＮＴＯＮＥ（Ｒ）緑インキ、および（１４）ＰＡＮＴＯＮＥ（Ｒ）黒インキとして知られている。
【００６２】
ＰＡＮＴＯＮＥ  ＭＡＴＣＨＩＮＧ  ＳＹＳＴＥＭ（Ｒ）の色合わせシステムは印刷業界において、特に米国では最も良く知られている色合わせシステムの一つである。ＰＡＮＴＯＮＥ  ＭＡＴＣＨＩＮＧ  ＳＹＳＴＥＭ（Ｒ）の色合わせシステムに用いられている色域（ｃｏｌｏｒ  ｇａｍｕｔ）は、異なった色のインキを混合して組み合わて特定の色の単一インキをつくり、次にこれを記録媒体に塗布して色域の一つの個別的な色を特徴付けるスポット着色法（ｓｐｏｔ  ｃｏｌｏｒｉｎｇ）に基づいている。異なった色のインキの異なった組み合わせに基づく他の単一色のインキのスポット着色法を使用してＰＡＮＴＯＮＥ  ＭＡＴＣＨＩＮＧ  ＳＹＳＴＥＭ（Ｒ）の色合わせシステムの全色域を埋め尽くし定義することができる。
【００６３】
本発明に従えば、元の画像がどのように描かれているかには無関係に、任意のカラー画像をひとまとめにして複製できるインキセットをつくることができる。この能力は、本発明に従ってつくられたインキ・セットがインキジェット印刷法を使用する場合に得ることができる広い色域から導かれる。本発明に従って選ばれたインキ・セットは本発明の異なったインキの任意の数の組み合わせを含んでいることができ、この組み合わせは選ばれたインキジェット・プリンターに適合するインキの数によってだけ制限される。異なったインキは任意の組み合わせの異なった色のインキおよび同じ染料の異なった濃度の任意の数インキを含んでいることができる。
【００６４】
例えば、本発明に従って（１）染料（ａ）の単一の濃度をもった１種の染料（ａ）を含むインキ、（２）染料（ｂ）の単一の濃度をもった１種の染料（ｂ）を含むインキ、（３〜５）３種の異なった濃度の染料（ｃ）を含むインキ、（６〜８）３種の異なった濃度の染料（ｄ）を含むインキを選ぶことができる。他の例としては、本発明に従って選択された異なるインキ・セットはそれぞれ単一の濃度の染料（ａ〜ｈ）を含むインキ（１〜８）を含んでいることができる。さらに他の例としては、本発明に従って選ばれたインキ・セットは（１〜２）２種の異なった濃度の染料（ａ）を含むインキ、（３〜４）異なった２種の濃度の染料（ｂ）を含むインキ、および（５〜８）４種の異なった濃度の染料（ｃ）を含むインキを含んでいることができる。さらにまた他の例としては本発明に従って選択されたインキ・セットは（１〜２）２種の異なった濃度の染料（ｂ）を含むインキ、（３〜４）２種の異なった濃度の染料（ｂ）を含むインキ、および（５〜６）２種の異なった濃度の染料（ｃ）を含むインキを含んでいることができる。
【００６５】
本発明のインキを含む任意のインキ・セットは、例えば原色のシアン、マゼンタおよび黄色並びに黒のような異なった色のつくられたインキのセットをべースにすることができる。また本発明のインキを含む任意のインキ・セットは、例えば色の組み合わせの形式または色合わせの指針（例えばＰＡＮＴＯＮＥ  ＭＡＴＣＨＴＩＮＧ  ＳＹＳＴＥＭ（Ｒ））に従って予めつくられた原色のインキを異なった割合で混合し、色合わせシステムで示される任意の色を得ることによりてつくられたインキを含んでいることができる。本発明のインキは染料分散安定性が高く、また本発明の種々のインキは、複雑で高価な混合装置または混合方法を用いずに且つ完成した種々のインキの混合物中で染料が沈降、分離することを心配することなく任意の組み合わせで簡単に組み合わせて混合することができるために、本発明に従ってつくられる予めつくられた原色のインキをこのように混合することは簡単であり、また問題を生じることはない。
【００６６】
インキ・セットの中にやはり存在するプロセス・カラー印刷用のインキをプロセス・カラー印刷法で印刷した場合には得られないような色を印刷された画像の中に得るために、予めつくられた原色のインキをこのようにして混合し、インキ・セットに含ませスポットカラーとして塗布することができる。このようにして本発明のインキはスポット着色法とプロセス・カラー印刷法とを組み合わせる方法を提供する。これによって特定の数のインキをもったインキ・セットを用い独特の色域を得る技術を達成できるプリンターが得られる。このようなプリンターは、インキ・セットの中のインキをプロセス印刷するだけでは達成できないであろう。
【００６７】
異なった目標を得る目的で本発明のインキの異なった組み合わせ（セット）をつくることができる。例えば「Ｃｏｌｏｒ  Ｓｙｓｔｅｍ」のニックネームをもつ特に興味をもたれている組み合わせは、４種の異なった色を含む三つのセットとして１２種のインキを含んでいる。このＣｏｌｏｒ  Ｓｙｓｔｅｍの組み合わせでは、第１のセットは実施例３で使用された配合を有する暗いシアンのインキ、実施例２で使用された配合を有する暗いマゼンタのインキ、実施例１で使用された配合を有する黄色のインキ、および実施例４で使用された配合を有する黒色のインキを含んでいる。Ｃｏｌｏｒ  Ｓｙｓｔｅｍの組み合わせの第２および第３のセットはＣｏｌｏｒ  Ｓｙｓｔｅｍの組み合わせの第１のセットと同じである。従ってＣｏｌｏｒ  Ｓｙｓｔｅｍの組み合わせは、４種の異なった色を表す全部で１２種のインキに対し、同じ暗いシアンのインキの３種の複製物、同じ暗いマゼンタのインキの３種の複製物、同じ黄色のインキの３種の複製物、および同じ黒色のインキの３種の複製物を含んでいる。
【００６８】
インキのＣｏｌｏｒ  Ｓｙｓｔｅｍの組み合わせは、米国ミネソタ州、Ｅｄｅｎ  ＰｒａｉｒｉｅのＭａｃＤｅｒｍｉｄ  ＣｏｌｏｒＳｐａｎ  Ｃｏｒｐｏｒａｔｉｏｎ，Ｉｎｃ．製のＤＩＳＰＬＡＹＭＡＫＥＲ（Ｒ）シリーズＸＩＩ大型インキジェット・プリンターを用いて印刷する場合に優れた性能を示す。Ｃｏｌｏｒ  Ｓｙｓｔｅｍの組み合わせの一つの利点は、４色プロセス印刷工程をより長い間支援することができる染料をベースにした高品質のインキを大容量備えていることである。Ｃｏｌｏｒ  Ｓｙｓｔｅｍの組み合わせの中に組み込まれた高度の透明性をもったインキから導かれると思われるＣｏｌｏｒ  Ｓｙｓｔｅｍの組み合わせの他の利点は、Ｃｏｌｏｒ  Ｓｙｓｔｅｍの組み合わせによって得られる広い色域である。Ｃｏｌｏｒ  Ｓｙｓｔｅｍの組み合わせのさらに他の利点は、Ｃｏｌｏｒ  Ｓｙｓｔｅｍの組み合わせの特定の色のインキに対し、Ｃｏｌｏｒ  Ｓｙｓｔｅｍ用のインキがどのような異なった基質の上に印刷されるか、広い範囲で変化するどのような時間で印刷されるか、および／または同じインキの異なったバッチに由来しているかどうかには無関係に、Ｃｏｌｏｒ  Ｓｙｓｔｅｍのインキの印刷された画像の視覚的に観察される色に再現性があることである。
【００６９】
「Ｇａｍｕｔ＋  Ｍｏｄｅ  Ｈｉ−Ｆｉ」というニックネームをもつ他の興味をもたれている特定の組み合わせ（即ちセット）は４種の異なった色から成る二つのセット、およびさらに二つの色から成るさらに他の二つのセットとして１２種のインキを含んでいる。Ｇａｍｕｔ＋  Ｍｏｄｅ  Ｈｉ−Ｆｉの組み合わせにおいては、第１のセットは実施例３に使用された配合を有する暗いシアンのインキ、実施例２に使用された配合を有する暗いマゼンタのインキ、実施例１に使用された配合を有する黄色のインキ、および実施例４に使用された配合を有する黒色のインキを含んでいる。Ｇａｍｕｔ＋  Ｍｏｄｅ  Ｈｉ−Ｆｉの組み合わせの第２のセットはＧａｍｕｔ＋  Ｍｏｄｅ  Ｈｉ−Ｆｉの組み合わせの第１のセットと同じである。Ｇａｍｕｔ＋  Ｍｏｄｅ  Ｈｉ−Ｆｉの組み合わせの第３のセットは実施例５に使用された配合を有する橙色のインキおよび緑色の染料をベースにした緑色のインキを含んでいる。この緑色のインキは任意の所望の緑色の標準又はサンプルに合うように本発明に従ってつくられる。Ｇａｍｕｔ＋  Ｍｏｄｅ  Ｈｉ−Ｆｉの組み合わせの第４のセットはＧａｍｕｔ＋  Ｍｏｄｅ  Ｈｉ−Ｆｉの組み合わせの第３のセットと同じである。従ってＧａｍｕｔ＋  Ｍｏｄｅ  Ｈｉ−Ｆｉの組み合わせは、６種の異なった色を表す全部で１２種のインキに対し、同じ暗いシアンのインキの二つの複製物、同じ暗いマゼンタのインキの二つの複製物、同じ黄色のインキの二つの複製物、同じ黒色のインキの二つの複製物、同じ橙色のインキの二つの複製物および同じ緑色のインキの二つの複製物を含んでいる。
【００７０】
インキのＧａｍｕｔ＋  Ｍｏｄｅ  Ｈｉ−Ｆｉの組み合わせはＭａｃＤｅｒｍｉｄ  ＣｏｌｏｒＳｐａｎ  Ｃｏｒｐｏｒａｔｉｏｎ，  Ｉｎｃ．製のＤＩＳＰＬＡＹＭＡＫＥＲ（Ｒ）シリーズＸＩＩ大型インキジェット・プリンターを用いて印刷する場合に優れた性能を示す。Ｇａｍｕｔ＋  Ｍｏｄｅ  Ｈｉ−Ｆｉの組み合わせの一つの利点は、６色プロセス印刷工程をより長い間支援することができる高品質の染料をベースにしたインキを大容量備えていることである。Ｇａｍｕｔ＋  Ｍｏｄｅ  Ｈｉ−Ｆｉの組み合わせの中に組み込まれた高度の透明性をもったインキから導かれると思われるＧａｍｕｔ＋  Ｍｏｄｅ  Ｈｉ−Ｆｉの組み合わせの他の利点は、Ｇａｍｕｔ＋  Ｍｏｄｅ  Ｈｉ−Ｆｉの組み合わせによって得られる広い色域である。Ｇａｍｕｔ＋  Ｍｏｄｅ  Ｈｉ−Ｆｉの組み合わせのさらに他の利点は、Ｇａｍｕｔ＋  Ｍｏｄｅ  Ｈｉ−Ｆｉの組み合わせの特定の色のインキに対し、Ｇａｍｕｔ＋  Ｍｏｄｅ  Ｈｉ−Ｆｉ用のインキがどのような異なった基質の上に印刷されるか、広い範囲で変化するどのような時間で印刷されるか、および／または同じインキの異なったバッチに由来しているかどうかには無関係に、Ｇａｍｕｔ＋  Ｍｏｄｅ  Ｈｉ−Ｆｉのインキの印刷された画像の視覚的に観察される色に再現性があることである。
【００７１】
「Ｇａｍｕｔ＋  Ｍｏｄｅ  Ｒ  ＆  Ｂ」組合せというニックネームをもつ他の興味をもたれている特定の組み合わせ（即ちセット）は４種の異なった色から成る二つのセット、およびさらに二つの色から成るさらに他の二つのセットとして１２種のインキを含んでいる。Ｇａｍｕｔ＋  Ｍｏｄｅ  Ｒ  ＆  Ｂの組み合わせにおいては、第１のセットは実施例３に使用された配合を有する暗いシアンのインキ、実施例２に使用された配合を有する暗いマゼンタのインキ、実施例１に使用された配合を有する黄色のインキ、および実施例４に使用された配合を有する黒色のインキを含んでいる。Ｇａｍｕｔ＋  Ｍｏｄｅ  Ｒ  ＆  Ｂの組み合わせの第２のセットはＧａｍｕｔ＋  Ｍｏｄｅ  Ｒ  ＆  Ｂの組み合わせの第１のセットと同じである。Ｇａｍｕｔ＋  Ｍｏｄｅ  Ｒ  ＆  Ｂの組み合わせの第３のセットは赤色の染料をベースにした赤色のインキおよび実施例６に使用された配合を有する青色のインキを含んでいる。この赤色のインキは任意の所望の赤色の標準または試料に合わせるように本発明に従って調製される。Ｇａｍｕｔ＋  Ｍｏｄｅ  Ｒ  ＆  Ｂの組み合わせの第４のセットはＧａｍｕｔ＋  Ｍｏｄｅ  Ｒ  ＆  Ｂの組み合わせの第３のセットと同じである。従ってＧａｍｕｔ＋  Ｍｏｄｅ  Ｒ  ＆  Ｂの組み合わせは、６種の異なった色を表す全部で１２種のインキに対し、同じ暗いシアンのインキの二つの複製物、同じ暗いマゼンタのインキの二つの複製物、同じ黄色のインキの二つの複製物、同じ黒色のインキの二つの複製物、同じ赤色のインキの二つの複製物、および同じ青色のインキの二つの複製物を含んでいる。
【００７２】
インキのＧａｍｕｔ＋  Ｍｏｄｅ  Ｒ  ＆  Ｂの組み合わせはＭａｃＤｅｒｍｉｄ  ＣｏｌｏｒＳｐａｎ  Ｃｏｒｐｏｒａｔｉｏｎ，  Ｉｎｃ．製のＤＩＳＰＬＡＹＭＡＫＥＲ（Ｒ）シリーズＸＩＩ大型インキジェット・プリンターを用いて印刷する場合に優れた性能を示す。Ｇａｍｕｔ＋  Ｍｏｄｅ  Ｒ  ＆  Ｂの組み合わせの一つの利点は、６色プロセス印刷工程をより長い間支援することができる高品質の染料をベースにしたインキを大容量備えていることである。Ｇａｍｕｔ＋  Ｍｏｄｅ  Ｒ  ＆  Ｂの組み合わせの中に組み込まれた高度の透明性をもったインキから導かれると思われるＧａｍｕｔ＋  Ｍｏｄｅ  Ｒ  ＆  Ｂの組み合わせの他の利点は、Ｇａｍｕｔ＋  Ｍｏｄｅ  Ｒ  ＆  Ｂの組み合わせによって得られる広い色域である。Ｇａｍｕｔ＋  Ｍｏｄｅ  Ｒ  ＆  Ｂの組み合わせのさらに他の利点は、Ｇａｍｕｔ＋  Ｍｏｄｅ  Ｒ  ＆  Ｂの組み合わせの特定の色のインキに対し、Ｇａｍｕｔ＋  Ｍｏｄｅ  Ｒ  ＆  Ｂ用のインキがどのような異なった基質の上に印刷されるか、広い範囲で変化するどのような時間で印刷されるか、および／または同じインキの異なったバッチに由来しているかどうかには無関係に、Ｇａｍｕｔ＋  Ｍｏｄｅ  Ｒ  ＆  Ｂのインキの印刷された画像の視覚的に観察される色に再現性があることである。
【００７３】
「Ｈｉ−Ｒｅｓ」の組み合わせというニックネームをもつさらに他の興味をもたれている特定の組み合わせ（即ちセット）は４種の異なった色から成る二つのセット、およびさらに二つの色から成るさらに他の二つのセットとして１２種のインキを含んでいる。Ｈｉ−Ｒｅｓの組み合わせにおいては、第１のセットは実施例３に使用された配合を有する暗いシアンのインキ、実施例２に使用された配合を有する暗いマゼンタのインキ、実施例１に使用された配合を有する黄色のインキ、および実施例４に使用された配合を有する黒色のインキを含んでいる。Ｈｉ−Ｒｅｓの組み合わせの第２のセットはＨｉ−Ｒｅｓの組み合わせの第１のセットと同じである。Ｈｉ−Ｒｅｓの組み合わせの第３のセットは実施例８に使用された配合を有する中程度のシアンのインキ、および実施例７に使用された配合を有する中程度のマゼンタのインキを含んでいる。Ｈｉ−Ｒｅｓの組み合わせの第４のセットはＨｉ−Ｒｅｓの組み合わせの第３のセットと同じである。従ってＨｉ−Ｒｅｓの組み合わせは、二つの異なった色のインキが二つの異なった顔料濃度で存在する４種の異なった色を表す全部で１２種のインキに対し、同じ暗いシアンのインキの二つの複製物、同じ暗いマゼンタのインキの二つの複製物、同じ黄色のインキの二つの複製物、同じ黒色のインキの二つの複製物、同じ中程度のシアンのインキの二つの複製物、および同じ中程度のマゼンタのインキの二つの複製物を含んでいる。
【００７４】
インキのＨｉ−Ｒｅｓの組み合わせはＭａｃＤｅｒｍｉｄ  ＣｏｌｏｒＳｐａｎ  Ｃｏｒｐｏｒａｔｉｏｎ，Ｉｎｃ．製のＤＩＳＰＬＡＹＭＡＫＥＲ（Ｒ）シリーズＸＩＩ大型インキジェット・プリンターを用いて印刷する場合に優れた性能を示す。Ｈｉ−Ｒｅｓの組み合わせの一つの利点は、６色プロセス印刷工程をより長い間支援することができる高品質の染料をベースにしたインキを大容量備えていることである。Ｈｉ−Ｒｅｓの組み合わせの中に組み込まれた高度の透明性をもったインキから導かれると思われるＨｉ−Ｒｅｓの組み合わせの他の利点は、Ｈｉ−Ｒｅｓの組み合わせによって得られる広い色域である。Ｈｉ−Ｒｅｓの組み合わせのさらに他の利点は、Ｈｉ−Ｒｅｓの組み合わせの特定の色のインキに対し、Ｈｉ−Ｒｅｓ用のインキがどのような異なった基質の上に印刷されるか、広い範囲で変化するどのような時間で印刷されるか、および／または同じインキの異なったバッチに由来しているかどうかには無関係に、Ｈｉ−Ｒｅｓのインキの印刷された画像の視覚的に観察される色に再現性があることである。
【００７５】
本発明の染料をベースにしたインキは種々の組み合わせで組み合わせ、特定の印刷の仕事に対する印刷の要求を満たし得る特定の色域を得ることができる染料をベースにしたインキの他のセットをつくることができる。
【００７６】
本発明の幾つかのインキの組み合わせ即ちセットの中に同じ染料が異なった濃度で含まれている理由は、特定の色に対する人間の眼の解像力に関連している。良く知られているように、人間の眼の解像力は異なった色の間でしばしば著しく変化する。特定の色に対する眼の解像力が比較的高い場合には、その色のドットは眼によってより容易に認識される。容易に眼によって認識される高い解像力をもった色に対しては、本発明のインキ・セットの中で同じ染料のものが多数の異なった濃度で存在することが好ましい。そうでない場合、同じ色の淡い色調のインキが得られず、特定のインキ・セットのインキを異なった濃度で使用した場合に得られる色域の拡張が不必要に制限されるであろう。染料の濃度を低くしインキを淡い色調で使用すると、高解像力の色が単一の染料濃度だけでインキ・セットの中に含まれている場合には到達できなかった特定のインキ・セットによる異なった色の色域の拡大が得られる。
【００７７】
一例として、インキ・セットがシアンのインキ、マゼンタのインキ、黄色のインキ、および黒色のインキを含む本発明のインキ・セットの一つにおいて、シアンのインキおよびマゼンタのインキはそれぞれ複数の異なった染料濃度で存在することが好ましく、他方黄色のインキおよび黒色のインキは適宜単一の顔料濃度でのみ存在する。その理由は、人間の眼の解像力がシアンのインキおよびマゼンタのインキに対して極めて高いことである。他方、黄色のインキに対しては、黄色のインキの中の黄色の染料の濃度が比較的高い場合でも、人間の眼の解像力は極めて低い。従って黄色のインキが黄色の染料の単一濃度でのみ存在するとしても、黄色のインキの淡い色調は本質的に存在している。
【００７８】
人間の眼の解像力は黒色のインキに対しては高い。しかし、黒色インキの淡い色調はシアン、マゼンタおよび黄色のインキ・ドットを組み合わせて再現することができるから、黒色染料は単一濃度をもつ１種だけが必要である。シアン、マゼンタおよび黄色のインキ・ドットを組み合わせると黒色のインキの淡い色調を再現するという事実にも拘わらず、比較的高い濃度の染料を含むマゼンタ・インキ・ドットとシアン・インキ・ドットを黄色のインキ・ドットと組み合わせた場合、黒色インキの中に高濃度の黒色染料を含むインキを使用した場合に得られるような真の黒色は正確に再現しないから、黒色染料の濃度が比較的高い黒色のインキがインキ・セットの中に含まれている。
【００７９】
例えばマゼンタまたはシアンのインキのような同じ色の異なったインキをつくる場合、単一の染料を複数の異なった濃度で使用することが望ましい場合、使用する異なった染料濃度の数の選択には競合因子をバランスさせることが必要である。異なった濃度をもつ同じ染料のインキを２種類だけ使用すると、異なった濃度をもつ同じ染料の２種のインキを組み込んだインキ・セットを用いて印刷された画像はインキの必要量が少なく、従って幾分速く乾燥する。しかし、異なった濃度をもつ同じ染料を含むインキを２種類だけしか使用しなかった場合、インキ・セットの中で異なったインキを組み合わせることによって該インキ・セットにより得られる色域を拡張する能力が制限される。
【００８０】
他方、異なった濃度をもつ同じ染料の複数のインキが同じ染料の異なった濃度のインキを４種またはそれ以上含む場合、インキ・セットの中に含まれるインキは、インキ・セットの異なったインキの組み合わせによって得られる色域を実質的に拡張することができる。しかし一つの色のインキを同じ染料の４種の異なった濃度で使用すると、画像を形成させるのに必要なインキの量が多くなり、従って画像を乾燥させる時間が実質的に長くなる。さらに、インキジェット・プリンターで同じ染料を異なった濃度で含む４種のインキを使用することは、インキジェット・プリンターの構造および操作を不必要に複雑にすると考えられる。何故なら、同じ染料を異なった濃度で含む２種のインキから同じ染料を異なった濃度で含む４種のインキへ移行させた場合に起こる色域の増加と実質的に同じだけの増加が、同じ染料を異なった濃度で含む３種のインキを使用して得られることが見出されているからである。さらに、同じ染料を異なった濃度で含む３種のインキを選択すると、画像の上に載せるインキの量を減少させ、従って画像を乾燥させるのに必要な時間の長さを減少させ、また画像をつくるためのインキ・セットに依存したインキジェット・プリンターの構造および操作の複雑性を抑制する助けとなる。
【００８１】
以上本発明をその好適具体化例を引用して説明したが、当業界の専門家は本発明の精神および範囲を逸脱することなくその形態および詳細点に関して変更を行い得ることを理解できるであろう。
【国際公開パンフレット】
2004526019.tif 000003
2004526019.tif 000004
2004526019.tif 000005
2004526019.tif 000006
2004526019.tif 000007
2004526019.tif 000008
2004526019.tif 000009
2004526019.tif 000010
2004526019.tif 000011
2004526019.tif 000012
2004526019.tif 000013
2004526019.tif 000014
2004526019.tif 000015
2004526019.tif 000016
2004526019.tif 000017
2004526019.tif 000018
2004526019.tif 000019
2004526019.tif 000020
2004526019.tif 000021
2004526019.tif 000022
2004526019.tif 000023
2004526019.tif 000024
2004526019.tif 000025
2004526019.tif 000026
2004526019.tif 000027
2004526019.tif 000028
2004526019.tif 000029
2004526019.tif 000030
2004526019.tif 000031
2004526019.tif 000032
2004526019.tif 000033
2004526019.tif 000034
2004526019.tif 000035
2004526019.tif 000036
【国際調査報告】
2004526019.tif 000037